【手続補正書】
【提出日】平成26年1月16日(2014.1.16)
【手続補正１】
【補正対象書類名】特許請求の範囲
【補正対象項目名】全文
【補正方法】変更
【補正の内容】
【特許請求の範囲】
【請求項１】
コンピュータ内の少なくとも１つの高性能ファンを統一拡張ファームウェアインターフェイス基本入出力システムモードで制御する制御方法であって、
少なくとも１つの温度センサにより検出された温度値たる検出温度値を当該少なくとも１つの温度センサから取得し、前記少なくとも１つの高性能ファンの現行の速度値たる現行速度値を取得するステップと、
実時間温度曲線と実時間速度曲線とを、前記検出温度値と前記現行速度値とにそれぞれ応じてグラフィカルインターフェースの動的更新区域に記録するステップと、
前記グラフィカルインターフェースの制御区域を通じて、前記少なくとも１つの高性能ファンに対応する第１制御地点と第２制御地点とを求めるステップと、
前記第２制御地点と前記第１制御地点とに応じて前記グラフィカルインターフェースに制御曲線を記録するステップと、
前記制御曲線に応じて前記少なくとも１つの高性能ファンの速度を制御するステップと、
を含み、
前記少なくとも１つの温度センサは複数の温度センサであり、前記複数の温度センサにそれぞれ対応する前記グラフィカルインターフェースの複数のセンサ切り替えアイコンの１つによって発動される、前記複数の温度センサの１つに命令するための第１切り替え命令を受信するステップと、前記命令された温度センサから前記検出温度値を取得するステップと、前記命令された温度センサから取得した前記検出温度値に応じて、前記命令された温度センサに対応する前記実時間温度曲線を前記グラフィカルインターフェースの前記動的更新区域に記録するステップと、をさらに含むことを特徴とする制御方法。
【請求項２】
前記実時間温度曲線は、事前設定された期間における前記検出温度値の状態を示し、前記実時間速度曲線は、前記事前設定された期間における前記現行速度値の状態を示す、ことを特徴とする請求項１に記載の制御方法。
【請求項３】
前記第１制御地点は第１制御温度値と第１制御速度値とにそれぞれ相当し、前記第２制御地点は第２制御温度値と第２制御速度値とにそれぞれ相当する、ことを特徴とする請求項１に記載の制御方法。
【請求項４】
前記第１制御温度値、前記第１制御速度値、前記第２制御温度値、および前記第２制御速度値は、取得されて、複数のスライドバーまたは複数のプルダウンメニューによって前記制御区域に設定されることを特徴とする請求項３に記載の制御方法。
【請求項５】
前記制御曲線の制御スロップは、次の式で表され、
2014044703.tif 000001
ここで、Ｐ１：プラグイン係数、ＣＰ：前記現行速度値、ＳＬ１：上限速度値、ＳＰ２：前記第２制御速度値、ＣＴ１：前記第１制御温度値、ＣＴ２：前記第２制御温度値、ＴＬ１：上限温度値、と設定され、前記コンピュータがクロックアップされない場合、前記プラグ係数は１に等しく、前記コンピュータがクロックアップされる場合、前記プラグイン係数は、オーバークロックメモリの周波数レート、メモリ電圧の上昇率、ＣＰＵの電圧上昇率、またはＣＰＵクロック乗数であることを特徴とする請求項３に記載の制御方法。
【請求項６】
前記制御曲線に応じて前記少なくとも１つの高性能ファンの速度を制御するステップは、
前記第１制御速度値が事前設定された下限速度値より小さいか、または、前記第２制御速度値が事前設定された上限速度値より大きいか否かを判定するステップと、前記第１制御速度値が前記事前設定された下限速度値より小さいか、または、前記第２制御速度値が前記事前設定された上限速度値より大きいと判定された場合、警告メッセージを発して、前記制御スロップに応じて前記少なくとも１つの高性能ファンの速度を制御し、前記第１制御速度値が前記事前設定された下限速度値以上であり、且つ、前記第２制御速度値が前記事前設定された上限速度値以下であると判定された場合、前記制御スロップに応じて前記少なくとも１つの高性能ファンの速度を制御するステップと、を含むことを特徴とする請求項５に記載の制御方法。
【請求項７】
前記制御曲線の制御スロップは、次の式で表され、
2014044703.tif 000002
ここで、ＣＰ：前記現行速度値、ＳＬ１：上限速度値、ＳＰ２：前記第２制御速度値、ＣＴ１：前記第１制御温度値、ＣＴ２：前記第２制御温度値、ＴＬ１：上限温度値、ＰＲ１：ＣＰＵ電圧の上昇率、と設定されることを特徴とする請求項３に記載の制御方法。
【請求項８】
前記制御曲線に応じて前記少なくとも１つの高性能ファンの速度を制御するステップは、前記第１制御速度値が事前設定された下限速度値より小さいか、または、前記第２制御速度値が事前設定された上限速度値より大きいか否かを判定するステップと、前記第１制御速度値が前記事前設定された下限速度値より小さいか、または、前記第２制御速度値が前記事前設定された上限速度値より大きいと判定された場合、警告メッセージを発して、前記制御スロップに応じて前記少なくとも１つの高性能ファンの速度を制御し、前記第１制御速度値が前記事前設定された下限速度値以上であり、且つ、前記第２制御速度値が前記事前設定された上限速度値以下であると判定された場合、前記制御スロップに応じて前記少なくとも１つの高性能ファンの速度を制御するステップと、を含むことを特徴とする請求項７に記載の制御方法。
【請求項９】
前記第１制御地点と前記第２制御地点とに対応する命令モードは、前記制御区域における複数のスライドバーまたは複数のプルダウンメニューを通じて選択されることを特徴とする請求項１に記載の制御方法。
【請求項１０】
コンピュータ内の少なくとも１つの高性能ファンを統一拡張ファームウェアインターフェイス基本入出力システムモードで制御する制御方法であって、
少なくとも１つの温度センサにより検出された温度値たる検出温度値を当該少なくとも１つの温度センサから取得し、前記少なくとも１つの高性能ファンの現行の速度値たる現行速度値を取得するステップと、
実時間温度曲線と実時間速度曲線とを、前記検出温度値と前記現行速度値とにそれぞれ応じてグラフィカルインターフェースの動的更新区域に記録するステップと、
前記グラフィカルインターフェースの制御区域を通じて、前記少なくとも１つの高性能ファンに対応する第１制御地点と第２制御地点とを求めるステップと、
前記第２制御地点と前記第１制御地点とに応じて前記グラフィカルインターフェースに制御曲線を記録するステップと、
前記制御曲線に応じて前記少なくとも１つの高性能ファンの速度を制御するステップと、
を含み、
前記少なくとも１つの高性能ファンは複数の高性能ファンであり、前記複数の高性能ファンにそれぞれ対応する前記グラフィカルインターフェースの複数のファン切り替えアイコンの１つによって発動される、前記複数の高性能ファンの１つに命令するための第２切り替え命令を受信するステップと、前記命令された高性能ファンの前記現行速度値を取得するステップと、前記命令された高性能ファンの前記現行速度値に応じて、前記命令された高性能ファンに対応する前記実時間速度曲線を前記グラフィカルインターフェースの前記動的更新区域に記録するステップと、をさらに含むことを特徴とする制御方法。
【請求項１１】
少なくとも１つの高性能ファンと、
少なくとも１つの温度センサと、
前記少なくとも１つの温度センサにより検出された温度値たる検出温度を当該少なくとも１つの温度センサから取得し、前記少なくとも１つの高性能ファンの現行の速度値たる現行速度値を取得するステップと、実時間温度曲線と実時間速度曲線とを、前記検出温度値と前記現行速度値とにそれぞれ応じてグラフィカルインターフェースの動的更新区域に記録するステップと、前記グラフィカルインターフェースの制御区域を通じて、前記少なくとも１つの高性能ファンに対応する第１制御地点と第２制御地点とを求めるステップと、前記第２制御地点と前記第１制御地点とに応じて前記グラフィカルインターフェースに制御曲線を記録するステップと、および前記制御曲線に応じて前記少なくとも１つの高性能ファンの速度を制御するステップとを含む制御方法を実行するプロセッサと、
を備え、
前記少なくとも１つの温度センサは複数の温度センサであり、前記制御方法は、前記複数の温度センサのそれぞれに対応する前記グラフィカルインターフェースの複数のセンサ切り替えアイコンの１つによって発動される、前記複数の温度センサの１つに命令するための第１切り替え命令を受信するステップと、前記命令された温度センサから前記検出温度値を取得するステップと、前記命令された温度センサから取得した前記検出温度値に応じて、前記命令された温度センサに対応する前記実時間温度曲線を前記グラフィカルインターフェースの前記動的更新区域に記録するステップと、をさらに含むことを特徴とするコンピュータ。
【請求項１２】
前記実時間温度曲線は、事前設定された期間における前記検出温度値の状態を示し、前記実時間速度曲線は、前記事前設定された期間における前記検出温度値および前記現行速度値の状態を示す、ことを特徴とする請求項１１に記載のコンピュータ。
【請求項１３】
前記第１制御地点は第１制御温度値と第１制御速度値とにそれぞれ相当し、前記第２制御地点は第２制御温度値と第２制御速度値とにそれぞれ相当する、ことを特徴とする請求項１１に記載のコンピュータ。
【請求項１４】
前記第１制御温度値、前記第１制御速度値、前記第２制御温度値、および前記第２制御速度値は、取得されて、複数のスライドバーまたは複数のプルダウンメニューによって前記制御区域に設定されることを特徴とする請求項１３に記載のコンピュータ。
【請求項１５】
前記制御曲線の制御スロップは、次の式で表され、
2014044703.tif 000003
ここで、Ｓｌｏｐ：当該制御スロップ、Ｐ１：プラグイン係数、ＣＰ：前記現行速度値、ＳＬ１：上限速度値、ＳＰ２：前記第２制御速度値、ＣＴ１：前記第１制御温度値、ＣＴ２：前記第２制御温度値、ＴＬ１：上限温度値、と設定され、前記コンピュータがクロックアップされない場合、前記プラグイン係数は１に等しく、前記コンピュータがクロックアップされる場合、前記プラグイン係数は、オーバークロックメモリの周波数レート、メモリ電圧の上昇率、ＣＰＵ電圧の上昇率、またはＣＰＵクロック乗数であることを特徴とする請求項１３に記載のコンピュータ。
【請求項１６】
前記制御曲線に応じて前記少なくとも１つの高性能ファンの速度を制御するステップは、前記第１制御速度値が事前設定された下限速度値より小さいか、または、前記第２制御速度値が事前設定された上限速度値より大きいか否かを判定するステップと、前記第１制御速度値が前記事前設定された下限速度値より小さいか、または、前記第２制御速度値が前記事前設定された上限速度値より大きいと判定された場合、警告メッセージを発して、前記制御スロップに応じて前記少なくとも１つの高性能ファンの速度を制御し、前記第１制御速度値が前記事前設定された下限速度値以上であり、且つ、前記第２制御速度値が前記事前設定された上限速度値以下であると判定された場合、前記制御スロップに応じて前記少なくとも１つの高性能ファンの速度を制御するステップと、を含むことを特徴とする請求項１５に記載のコンピュータ。
【請求項１７】
前記制御曲線の制御スロップは、次の式で表され、
2014044703.tif 000004
ここで、Ｓｌｏｐ：当該制御スロップ、ＣＰ：前記現行速度値、ＳＬ１：上限速度値、ＳＰ２：前記第２制御速度値、ＣＴ１：前記第１制御温度値、ＣＴ２：前記第２制御温度値、ＴＬ１：上限温度値で、ＰＲ１：ＣＰＵ電圧の上昇率、と設定されることを特徴とする請求項１５に記載のコンピュータ。
【請求項１８】
前記制御曲線に応じて前記少なくとも１つの高性能ファンの速度を制御するステップは、前記第１制御速度値が事前設定された下限速度値より小さいか、または、前記第２制御速度値が事前設定された上限速度値より大きいか否かを判定するステップと、前記第１制御速度値が前記事前設定された下限速度値より小さいか、または、前記第２制御速度値が前記事前設定された上限速度値より大きいと判定された場合、警告メッセージを発して、前記制御スロップに応じて前記少なくとも１つの高性能ファンの速度を制御し、前記第１制御速度値が前記事前設定された下限速度値以上であり、且つ、前記第２制御速度値が前記事前設定された上限速度値以下であると判定された場合、前記制御スロップに応じて前記少なくとも１つの高性能ファンの速度を制御するステップとを含むことを特徴とする請求項１７に記載のコンピュータ。
【請求項１９】
前記第１制御地点と前記第２制御地点とに対応する命令モードは、前記制御区域における複数のスライドバーまたは複数のプルダウンメニューを通じて選択されることを特徴とする請求項１１に記載のコンピュータ。
【請求項２０】
少なくとも１つの高性能ファンと、
少なくとも１つの温度センサと、
前記少なくとも１つの温度センサにより検出された温度値たる検出温度を当該少なくとも１つの温度センサから取得し、前記少なくとも１つの高性能ファンの現行の速度値たる現行速度値を取得するステップと、実時間温度曲線と実時間速度曲線とを、前記検出温度値と前記現行速度値とにそれぞれ応じてグラフィカルインターフェースの動的更新区域に記録するステップと、前記グラフィカルインターフェースの制御区域を通じて、前記少なくとも１つの高性能ファンに対応する第１制御地点と第２制御地点とを求めるステップと、前記第２制御地点と前記第１制御地点とに応じて前記グラフィカルインターフェースに制御曲線を記録するステップと、および前記制御曲線に応じて前記少なくとも１つの高性能ファンの速度を制御するステップとを含む制御方法を実行するプロセッサと、
を備え、
前記少なくとも１つの高性能ファンは複数の高性能ファンであり、前記制御方法は、前記複数の高性能ファンにそれぞれ対応する前記グラフィカルインターフェースの複数のファン切り替えアイコンの１つによって発動される、前記複数の高性能ファンの１つに命令するための第２切り替え命令を受信するステップと、前記命令された高性能ファンの前記現行速度値を取得するステップと、前記命令された高性能ファンの前記現行速度値に応じて、前記命令された高性能ファンに対応する前記実時間速度曲線を前記グラフィカルインターフェースの前記動的更新区域に記録するステップと、をさらに含むことを特徴とするコンピュータ。